(57)【要約】【課題】太陽光発電パネルの設置を容易にする取付フレームの提供。【解決手段】太陽光発電パネルが取付られるフレーム１８は、細長い主フレーム２０と、細長い中間フレーム２２とを備えている。中間フレーム２２は、主フレーム２０に長手方向を平行にして連結されている。中間フレーム２２は、主フレーム２０に対して、長手方向に移動可能にされている。好ましくは、このフレーム１８は、パネル取付具２６を備えている。主フレーム２０の外面に長手方向に延びる溝３６が形成されている。上記パネル取付具２６が溝３６に挿入されて、溝３６に沿って移動可能にされている。【選択図】図２
2017150186.tif 000002
【特許請求の範囲】
【請求項１】
細長い主フレームと、細長い中間フレームとを備えており、
上記中間フレームと上記主フレームとのいずれか一方が他方に挿入されており、
上記中間フレームが上記主フレームに対して長手方向に移動可能にされている、
太陽光発電パネルが取り付けられるフレーム。
【請求項２】
上記太陽光発電パネルを固定するパネル取付具を備えており、
上記主フレームの外面に長手方向に延びる溝が形成されており、
上記パネル取付具が上記溝に挿入されて上記溝に沿って移動可能にされている請求項１に記載のフレーム。
【請求項３】
構造物に上記主フレームを固定する据付具を備えており、
上記据付具が本体とこの本体に上記主フレームを固定する固定具とを備えており
上記固定具が上記溝に挿入されており、
上記固定具が上記溝に沿って移動可能にされている請求項２に記載のフレーム。
【請求項４】
上記据付具が回動体を備えており、
上記回動体が上記本体に上記主フレームの長手方向に直交する方向を回動軸にして回動可能に取り付けれており、
上記固定具が上記回動体に主フレームを固定する請求項３に記載のフレーム。
【請求項５】
移動フレームを備えており、
上記中間フレームが上記移動フレームを貫通しており、
上記移動フレームが上記中間フレームに対して、長手方向に移動可能にされている請求項１から４のいずれかに記載のフレーム。
【請求項６】
上記太陽光発電パネルを固定するパネル取付具を備えており、
上記パネル取付具が上記移動フレームの外面に取り付けられている請求項５に記載のフレーム。
【請求項７】
構造物に上記移動フレームを固定する据付具を備えており、
上記据付具が本体とこの本体に上記移動フレームを固定する固定具とを備えており、
上記固定具が上記移動フレームの外面に取り付けられている請求項５又は６に記載のフレーム。
【発明の詳細な説明】
【技術分野】
【０００１】
本発明は、太陽光発電パネルを取り付けるフレームに関する。
【背景技術】
【０００２】
太陽光発電では、太陽光発電パネル（以下、パネルと称する）が用いられている。このパネルは、種々の構造物に固定される。例えば、このパネルは、パネル支持専用の構造物、家屋の屋根、屋上等に固定される。
【０００３】
特開平８−３１２０８８号公報には、パネルの屋根上設置具が開示されている。この設置具では、細長いフレームからなるベース支持架台が間隔を空けて設置されている。このベース支持架台に、細長いフレームからなるパネル連結部材が直交して固定されている。このパネル連結部材に、パネルが固定されている。
【０００４】
例えば、木造家屋では、平行に延びる棟木と軒桁との間に、複数の母屋が平行に延びている。複数の垂木が、母屋に直行して、棟木から軒桁までの延びている。この垂木の上に屋根材が載置されている。この様な木造家屋では、取付具が垂木や母屋に固定される。取付具が屋根材を貫通して、前述のベース支持架台を固定する。ベース支持架台を垂木や母屋に固定することで、パネルは木造家屋に強固に固定される。
【０００５】
特開２０１３−１００６５４公報には、パネルが固定される架台を、建屋の梁に固定する取付具が開示されている。この取付具は、例えば鉄骨構造の梁に固定される。取付具のボルトが屋根材を貫通して突出する。このボルトに架台が固定される。
【先行技術文献】
【特許文献】
【０００６】
【特許文献１】特開平８−３１２０８８公報
【特許文献２】特開２０１３−１００６５４公報
【発明の概要】
【発明が解決しようとする課題】
【０００７】
パネルの大きさはメーカーや用途によって異なる。また、パネルの枚数やレイアウト等も様々である。更に、家屋の垂木や母屋の配置も様々である。更に、屋根材が波板状の形状を備える建屋では、屋根材の凹凸のピッチに対応させて、取付具が配置されなければならない。この取付具の配置のずれは、ベース支持架台やパネルの固定に支障を来す。
【０００８】
特開平８−３１２０８８公報の設置具では、パネルの大きさ、枚数、レイアウト、屋根構造等に対応して、ベース支持架台とパネル連結部材とが準備される。このため、パネルの枚数やレイアウトに対応した仕様で、ベース支持架台やパネル連結部材が準備される。ベース支持台やパネル連結部材には、他部材を連結するための追加工が必要となる場合がある。また、このベース支持架台やパネル連結部材等の長さや本数を事前に確認する必要がある。必要なベース支持架台やパネル連結部材等の準備期間が必要とされる。
【０００９】
このパネルの設置には、ベース支持架台やパネル連結部材等の据付部材の準備に手間が掛かる。更に、場合によっては、現地での孔加工や切断などの追加工が必要とされる。
【００１０】
本発明の目的は、太陽光発電パネルの設置を容易にする取付フレームの提供にある。
【課題を解決するための手段】
【００１１】
本発明にかかる太陽光発電パネルの取付フレームは、細長い主フレームと、細長い中間フレームとを備えている。上記中間フレームと上記主フレームとのいずれか一方は、他方に挿入されている。上記中間フレームは、上記主フレームに対して長手方向に移動可能にされている。
【００１２】
好ましくは、このフレームは、上記太陽光発電パネルを固定するパネル取付具を備えている。上記主フレームの外面に長手方向に延びる溝が形成されている。上記パネル取付具は、上記溝に挿入されて上記溝に沿って移動可能にされている。
【００１３】
好ましくは、このフレームは、構造物に上記主フレームを固定する据付具を備えている。上記据付具は、本体とこの本体に上記主フレームを固定する固定具とを備えている。上記固定具は、上記溝に挿入されている。上記固定具は、上記溝に沿って移動可能にされている。
【００１４】
好ましくは、上記据付具は、回動体を備えている。上記回動体は、上記本体に上記主フレームの長手方向に直交する方向を回動軸にして回動可能に取り付けれている。上記固定具は、上記回動体に主フレームを固定する。
【００１５】
好ましくは、このフレームは、移動フレームを備えている。上記中間フレームは、上記移動フレームを貫通している。上記移動フレームは、上記中間フレームに対して、長手方向に移動可能にされている。
【００１６】
好ましくは、このフレームは、上記太陽光発電パネルを固定するパネル取付具を備えている。上記パネル取付具は、上記移動フレームの外面に取り付けられている。
【００１７】
好ましくは、このフレームは、構造物に上記移動フレームを固定する据付具を備えている。上記据付具は、本体と、この本体に上記移動フレームを固定する固定具とを備えている。上記固定具は、上記移動フレームの外面に取り付けられている。
【発明の効果】
【００１８】
本発明に係る取付フレームでは、主フレームに対して中間フレームを移動させることことで、その全長が変更可能にされている。長さの異なる複数のフレームを準備する必要がない。また現地で切断などの追加工の手間が省かれる。このフレームを用いることで、パネルの設置工事の準備の手間が軽減され、その準備期間が短縮できる。
【図面の簡単な説明】
【００１９】
【図１】図１は、本発明の一実施形態に係る太陽光発電パネル取付フレームの使用状態が示された斜視図である。
【図２】図２は、図１の太陽光発電パネル取付フレームの一部が示された側面図である。
【図３】図３は、図２の線分III−IIIに沿った断面図である。
【図４】図４は、図１の太陽光発電パネル取付フレームの他の一部が示された斜視図である。
【図５】図５は、本発明の他の実施形態に係る太陽光発電パネル取付フレームの一部が示された斜視図である。
【図６】図６は、図５の太陽光発電パネル取付フレームの他の一部が示された断面図である。
【図７】図７は、本発明の更に他の実施形態に係る太陽光発電パネル取付フレームの一部が示された断面図である。
【図８】図８は、本発明の更に他の実施形態に係る太陽光発電パネル取付フレームの一部が示された断面図である。
【発明を実施するための形態】
【００２０】
以下、適宜図面が参照されつつ、好ましい実施形態に基づいて本発明が詳細に説明される。
【００２１】
図１には、鉄骨構造の建屋２の一部と、架台４と、太陽光発電パネル６とが示されている。この建屋２は、棟つなぎ梁８、軒つなぎ梁１０、梁１２、母屋１４及び屋根材１６を備えている。軒つなぎ梁１０は、棟つなぎ梁８の斜め下方に配置され、棟つなぎ梁８に平行に延びている。梁１２は、棟つなぎ梁８から軒つなぎ梁１０まで傾斜して延びている。梁１２は、棟つなぎ梁８の端と軒つなぎ梁１０の端とに固定されている。母屋１４は、梁１２に固定されている。母屋１４は、棟つなぎ梁８及び軒つなぎ梁１０に平行に延びている。この母屋１４に屋根材１６が葺かれている。図１には示されないが、この母屋１４と屋根材１６との間に野地板や防水シートが介在されてもよい。この屋根材１６の形状は、平板状であるが、波板状であってもよい。例えば、波板状の凹凸が母屋に直交して延びていてもよい。
【００２２】
この屋根材１６に架台４が載置されている。この建屋２では、架台４は６本のフレーム１８からなっている。フレーム１８は、母屋１４に直交して延びている。フレーム１８は、互いに間隔を空けて平行の延びている。フレーム１８は、母屋１４に固定されている。図示されないが、取付具が母屋１４に固定されている。この取付具は、屋根材１６を貫通して突出している。この取付具に、フレーム１８が固定されている。
【００２３】
この架台４に、９枚のパネル６が固定されている。２本のフレーム１８に、それぞれ３枚のパネル６が固定されている。架台４に固定されるパネルの枚数は１枚でもよく、２枚以上の複数枚あってもよい。この架台４では、一対のフレーム１８によって、パネル６が固定されている。この架台４は、２本以上の複数のフレーム１８からなっている。
【００２４】
図２に示される様に、フレーム１８は、主フレーム２０、中間フレーム２２、移動フレーム２４及びパネル取付具２６を備えている。図３には、図２の線分III−IIIに沿った断面が示されている。更に、図４に示される様に、このフレーム１８は、据付具２８を備えている。
【００２５】
図２の主フレーム２０は、細長い形状を備えている。主フレーム２０は、上壁３０、左右一対の側壁３２、下壁３４及び溝３６を備えている。溝３６は、上壁３０に形成されている。溝３６は、主フレーム３０の長手方向一端から他端まで、その長手方向に平行に延在している。
【００２６】
図３に示される様に、上壁３０と左右一対の側壁３２と下壁３４とは一体に形成されている。この主フレーム２０は中空にされている。この上壁３０の内面３０ａと左右一対の側壁３２の内面３２ａと下壁３４の内面３４ａとに囲まれる空間が形成されている。
【００２７】
溝３６は、上壁３０に長手方向に沿って延在する開口３８を形成している。溝３６は、開口３８が狭く、開口３８より奥が広く形成されている。この溝３６は、逆Ｔ字形状に形成されている。
【００２８】
主フレーム２０は、例えば、アルミニウム合金からなる。主フレーム２０は、アルムニウム合金が押出成形されて形成されている。主フレーム２０の材料はアルミニウム合金に限られない。主フレーム２０の材料は、鋼、ステンレス鋼、炭素繊維強化樹脂、ガラス繊維強化樹脂、ポリウレタンや各種樹脂であってもよい。図３では、主フレーム２０の断面形状は、略矩形にされているが、この形状に限られない。主フレーム２０の断面形状は、三角形以上の多角形であってもよく、更には略円形、略楕円形であってもよい。主フレーム２０は、パネル６を固定し、据付具２８によって固定される観点から、上壁３０の外面３０ｂは、平面で形成されることが好ましい。
【００２９】
図２に示され様に、中間フレーム２２は細長い形状を備えている。中間フレーム２２は、上壁４０、左右一対の側壁４２、下壁４４を備えている。上壁４０と左右一対の側壁４２と下壁４４とは一体に形成されている。この中間フレーム２２は中空にされている。中間フレーム２２は，内部に空間を備えない中実であってもよい。
【００３０】
中間フレーム２２は、主フレーム２０と同じ材料からなる。中間フレーム２２の断面形状は、略矩形にされているが、三角形以上の多角形であってもよく、更には略円形、略楕円形であってもよい。
【００３１】
中間フレーム２２は、主フレーム２０の空間に挿入されている。中間フレーム２２は、主フレーム２０に連結されている。中間フレーム２２は、内面３０ａと左右一対の内面３２ａと内面３４ａとに案内されて、主フレーム２０の長手方向に移動可能にされている。この観点から、中間フレーム２２は、主フレーム２０の内面３０ａ、３２ａ及び３４ａに案内される外形形状を備えていればよい。
【００３２】
移動フレーム２４は、主フレーム２０や中間フレーム２２に比べて短い。移動フレーム２４は、例えば、５ｃｍ以上２０ｃｍ以下である。上壁４６、図示されない左右一対の側壁４８、下壁５０及び溝５２を備えている。溝５２は、上壁４６に形成されている。溝５２は、移動フレーム２４の移動方向に平行に延在している。この溝５２は、溝３６と同様の断面形状を備えている。
【００３３】
上壁４６と左右一対の側壁４８と下壁５０とは、上壁３０と左右一対の側壁３２と下壁３４と同様に、一体に形成されている。この移動フレーム２４は中空にされている。この上壁４６の内面４６ａと左右一対の側壁４８の内面４８ａと下壁５０の内面５０ａとに囲まれる空間が形成されている。
【００３４】
移動フレーム２４は、主フレーム２０と同じ材料からなる。移動フレーム２４の断面形状は特に限定されないが、このフレーム１８では、主フレーム２０のそれと同じ形状にされている。このフレーム１８では、移動フレーム２４は、主フレーム２０と同じ押出成形材から切り出されている。上壁４６、側壁４８及び下壁５０は、主フレーム２０の上壁３０、側壁３２及び下壁３４に相当する。内面４６ａ、内面４８ａ及び内面５０ａは、主フレーム２０の内面３０ａ、内面３２ａ及び内面３４ａに相当する。
【００３５】
この移動フレーム２４に、中間フレーム２２が通されて貫通している。内面４６ａと内面４８ａと内面５０ａとが中間フレーム２２の外面に案内されている。移動フレーム２４は、中間フレーム２２の長手方向に移動可能にされている。
【００３６】
図２及び図３に示される様に、パネル取付具２６は、ボルト５４、ナット５６及びパネル押さえ具５８を備えている。ボルト５４の頭部５４ａは、主フレーム２０の溝３６に挿入されている。ネジ部５４ｂは溝３６の開口３８から突出している。この頭部５４ａは溝３６に係合して、ボルト５４は溝３６に沿って移動可能にされている。ナット５６は、ネジ部５４ｂに螺合されている。ネジ部５４ｂは、パネル押さえ具５８を貫通している。パネル押さえ具５８は、頭部５４ａとナット５６との間に位置している。
【００３７】
図２及び図３の二点鎖線は、パネル６を表している。パネル６は、主フレーム２０に載置される。このボルト５４にナット５６が螺合して、パネル押さえ具５８がパネル６を主フレーム２０に固定する。図２に示される様に、このフレーム１８では、移動フレーム２４の溝５２にも、同様に、パネル押さえ具５８が取り付けられている。パネル押さえ具５８が、パネル６を移動フレーム２４に固定する。
【００３８】
図４に示される様に、据付具２８は、本体６０、ボルト６２及びナット６４を備えている。据付具２８は、主フレーム２０の端部に取り付けられている。このボルト６２は、ボルト５４と同様にして、溝３６に係合している。ボルト６２は、溝３６に沿って移動可能にされている。このボルト６２とナット６４とが螺合して、主フレーム２０が据付具２８に固定される。この据付具２８では、ボルト６２及びナット６４が固定具を構成している。
【００３９】
図示されないが、この据付具２８は、取付具に固定される。取付具は、母屋１４に固定され、屋根材１６を貫通して突出する。この据付具２８が取付具に固定されることで、フレーム１８は建屋２に固定されている。図４では、据付具２８は、主フレーム２０の端部に取り付けられているが、主フレーム２０の長手方向の任意の位置に取り付けられうる。また、この据付具２８は、移動フレーム２４に取り付けられてもよい。
【００４０】
このフレーム１８では、主フレーム２０に対して、中間フレーム２２が長手方向に移動可能にされている。これにより、フレーム１８の全長が調整可能にされている。このフレーム１８は、長さの異なるフレームを準備する必要がない。現地で、フレーム１８を切断する必要がない。このフレーム１８を用いることで、パネル６の設置工事が容易にされている。この設置工事の準備期間が短縮される。この設置工事の作業時間が短縮される。このフレーム１８では、主フレーム２０に中間フレーム２２に挿入されたが、中間フレーム２２に主フレーム２０が挿入されてもよい。言い換えると、主フレーム２０と中間フレーム２２とのいずれか一方が他方に挿入されていればよい。
【００４１】
更に、主フレーム２０の溝３６に沿ってパネル取付具２６が移動可能にされている。移動フレーム２４の溝５２に沿ってパネル取付具２６が移動可能にされている。これにより、このフレーム１８は、パネル６の大きさに合わせて、パネル取付具２６の位置を調整できる。このフレーム１８は、パネル６を一層容易に固定できる。移動フレーム２４は溝５２を備えなくてもよい。移動フレーム２４に、パネル取付具２６が固定されてもよい。移動フレーム２４が長手方向に移動してパネル取付具２６が移動されてもよい。
【００４２】
また、主フレーム２０の溝３６や移動フレーム２４の溝５２に沿って、据付具２８が移動可能にされている。これにより、母屋１４や垂木等の位置に合わせて、据付具２８の位置を調整できる。このフレーム１８は、パネル６の設置工事を一層容易にしている。移動フレーム２４は溝５２を備えなくてもよい。移動フレーム２４に、据付具２８が固定されてもよい。移動フレーム２４が長手方向に移動して据付具２８が移動されてもよい。
【００４３】
更に、移動フレーム２４を備えているので、中間フレーム２２の長手方向の任意の位置で、パネル６が固定されうる。また、中間フレーム２２の長手方向の任意の位置で、据付具２８で、フレーム１８は固定されうる。このフレーム１８は、種々の大きさのパネル６を、容易に固定できる。このフレーム１８は、種々の建造物に容易に固定される。
【００４４】
この架台４では、２以上の複数のフレーム１８からなる。このフレーム１８は、互いにフレームで連結されておらず、個々に独立に並べられている。フレーム１８は、平行に並べられている。この架台４は、フレーム１８の互いの間隔を自由に変更できる。フレーム１８の間隔は、建屋２に固定されることによって定まる。フレーム１８は、パネル６がフレーム１８に取り付けられることによって、パネル６を介して連結される。複数のフレーム１８からなる架台４は、種々の大きさのパネル６の固定が可能であり、種々の建造物への固定とが一層容易にされている。この架台４は、汎用性に優れている。
【００４５】
このフレーム１８では、主フレーム２０に中間フレーム２２が挿入されている。主フレーム２０と中間フレーム２２とが長手方向に相対的に移動しうる。温度変化によって、主フレーム２０や中間フレーム２２が熱膨張や熱収縮の熱膨張等をした場合にも、その伸縮を吸収できる。このフレーム１８は、熱膨張等による歪みの発生が抑制されている。
【００４６】
この主フレーム２０と中間フレーム２２との間には、パネル取付具２６でパネル６を固定することと、据付具２８に固定することとで、摺動抵抗が生じうる。これにより、ストッパーを設けなくても、主フレーム２０と中間フレーム２２との長手方向の位置ずれが抑制されている。このフレーム１８は、この長手方向の位置ずれを規制するストッパーを備えてもよい。ストッパーを備える場合には、熱膨張等による相対的な位置ずれ分の移動を許容して、ストッパーを設けることが好ましい。この移動フレーム２４と中間フレーム２２との間にも、主フレーム２０と中間フレーム２２との間と同様に、摺動抵抗が生じうる。このため、長手方向の位置ずれを規制するストッパーを設けなくても良いが、前述の様に、ストッパーが設けられてもよい。
【００４７】
このフレーム１８は、１本の主フレーム２０と１本の中間フレーム２２とが連結されていてもよく、複数の主フレーム２０と複数の中間フレーム２２とが連結されていてもよい。このフレーム１８は、様々な長さに対応できる。このフレーム１８は、長さの異なる複数のフレームを在庫として保管する必要がない。フレーム１８は分解された、主フレーム２０や中間フレーム２２として運搬される。このため、長尺のフレームの運搬が必要とされない。このフレーム１８の運搬には、大型車両等が必要とされない。このフレーム１８は、現場での運搬も容易にされている。
【００４８】
この架台４では、設置後においても、主フレーム２０、中間フレーム２２及び移動フレーム２４を追加できる。また、設置後においても架台４の一部の主フレーム２０、中間フレーム２２及び移動フレーム２４を取り外すことができる。この架台４は、増設、減設及びレイアウト変更などが容易にできる。
【００４９】
このフレーム１８では、ボルト５４及びナット５６を例に説明がされたが、締結部材はこれに限定されない。この締結部材は、一方の部材と他方の部材が締結されて主フレーム２０又は移動フレーム２４にパネル６を固定できる機能と、一方の部材と他方の部材とのいずれかが溝３６又は溝５２に係合して移動可能にできる機能とを備えていればよい。
【００５０】
このフレーム１８では、据付具２８の固定具として、ボルト６２とナット６４を例に説明がされたが、これに限定されない。この固定具は、一方の部材と他方の部材が締結されて本体６０に主フレーム２０又は移動フレーム２４を固定できる機能と、一方の部材と他方の部材とのいずれかが溝３６又は溝５２に係合して移動可能にできる機能とを備えていればよい。
【００５１】
図５には、本発明に係る他のフレーム６６が示されている。架台４は、フレーム１８に代えてフレーム６６を備えていてもよい。ここでは、フレーム６６について、フレーム１８と異なる構成が説明され、フレーム１８と同様の構成の説明が省略される。また、フレーム１８と同様の構成については、同じ符号を用いて説明がされる。
【００５２】
このフレーム６６は、主フレーム６８、中間フレーム７０、移動フレーム７２及びパネル取付具７４を備えている。更に、図６に示される様に、フレーム６６は、据付具７６を備えている。
【００５３】
主フレーム６８は、上壁７８、左右一対の側壁８０、下壁８２及び溝８４を備えている。溝８４は、上壁７８に形成されている。溝８４は、主フレーム６８の長手方向に平行に延在している。溝８４は、上壁７８を切り欠いている。溝８４は、上壁７８、左右一対の側壁８０及び下壁８２に囲まれた空間と主フレーム６８の外側の空間とを連通させている。主フレーム６８は、例えば、メッキ鋼板やステンレス鋼板からなる。
【００５４】
中間フレーム７０は、上壁８６、左右一対の側壁８８、下壁９０及び溝９２を備えている。上壁８６と左右一対の側壁８８と下壁９０とは一体に形成されている。この中間フレーム７０は中空にされている。溝９２は、溝８４と同様に、上壁８６を切り欠いている。中間フレーム７０は、主フレーム６８と同じ材料からなる。
【００５５】
中間フレーム７０は、主フレーム６８の空間に挿入されている。中間フレーム７０は、主フレーム６８に連結されている。中間フレーム７０の溝９２と主フレーム６８の溝８４の位置は、フレーム６６の外周方向において、合わせられている。中間フレーム７０は、主フレーム６８の上壁７８、左右一対の側壁８０及び下壁８２の内面に案内されて、長手方向に移動可能にされている。
【００５６】
移動フレーム７２は、主フレーム６８と同じ材料からなる。移動フレーム７２の断面形状は特に限定されないが、このフレーム６６では、主フレーム６８のそれと同じ形状にされている。移動フレーム７２は、主フレーム６８と同様に、溝８４を備えている。この移動フレーム７２は、主フレーム６８と同じ構造材から切り出されている。この移動フレーム７２に、中間フレーム７０が通されている。移動フレーム７２は、中間フレーム７０の長手方向に移動可能にされている。
【００５７】
パネル取付具７４は、ボルト９４、ナット９６及びパネル押さえ具９８を備えている。ナット９６は、中間フレーム７０の空間に挿入されている。ボルト９４のネジ部９４ｂは溝８４及び溝９２を通されて、中間フレーム７０の空間に突出している。このボルト９４は溝８４及び溝９２に沿って移動可能にされている。ナット９６は、ネジ部９４ｂに螺合されている。ネジ部９４ｂは、パネル押さえ具９８を貫通している。パネル押さえ具９８は、頭部９４ａとナット９６との間に位置している。
【００５８】
このナット９６の形状は、略矩形の板状にされている。このナット９６は、中間フレーム７０の空間で回り止めとして機能する。これにより、ボルト９４を回すことで、ボルト９４をナット９６に更にねじ込むことが可能にされており、この締結を緩めることが可能にされている。図示されないが、このパネル取付具７４は、主フレーム６８に取り付けられてもよい。ナット９６は、主フレーム６８の空間に挿入される。このナット９６は、主フレーム６８の空間で回り止めとして機能する。ボルト９４のネジ部９４ｂは溝８４を通されて、主フレーム６８の空間に突出する。このボルト９４は溝８４に沿って移動可能にされる。
【００５９】
図６に示される様に、据付具７６は、本体１００と、固定具としてのボルト１０２及びナット１０４とを備えている。このボルト１０２は、溝８４に係合している。ボルト１０２は、溝８４に沿って移動可能にされている。このボルト１０２とナット１０４とが螺合して、主フレーム６８が据付具７６に固定される。据付具７６は、主フレーム６８の長手方向のいずれの位置に取り付けられてもよい。更に、この据付具７６は、移動フレーム７２に取り付けられてもよい。
【００６０】
図７及び図８には、本発明に係る他の実施形態が示されている。ここでは、フレーム６６と異なる構成が説明され、フレーム６６と同様の構成の説明が省略される。また、フレーム６６と同様の構成については、同じ符号を用いて説明がされる。
【００６１】
図７には、据付具１０６が示されている。この据付具１０６は、本体１０８を備えている。図７に示される様に、本体１０８の断面形状は、側面が開口されて、カタカナのコ字形状にされている。
【００６２】
図８には、据付具１１０が示されている。この据付具１１０は、本体１１２及び回動体１１４を備えている。回動体１１４は回動軸１１６を備えている。図８に示される様に、本体１１２の断面形状は、略Ｌ字形状にされている。回動軸１１６は、本体１１２を貫通している。回動体１１４は、本体１１２に回動可能に取り付けられている。回動体１１４は、主フレーム６８の長手方向と直交する方向を回転軸にして、回動可能にされている。主フレーム６８は、回動体１１４に取り付けられている。これにより、主フレーム６８は、回動可能にされている。
【００６３】
図８の一点鎖線Ｌ１は、主フレーム６８の長手方向に直交し、上下方向に延びる直線を表している。一点鎖線Ｌ２は、主フレーム６８の長手方向に直交し、水平方向に延びる直線を表している。この直線Ｌ２は、回動体１１４の回転軸を表している。
【００６４】
複数の据付具１１０でフレーム６６を支持する場合、据付具１１０は、互いに、フレーム６６の長手方向に間隔を空けて位置する。この据付具１１０に固定されたフレーム６６の長手方向がずれると、隣の据付具１１０での位置ずれが生じる。据付具１１０の間隔が大きい場合には、この位置ずれも大きくなる。この位置ずれは、フレーム６６に曲げを生じる。フレーム６６の曲げは、主フレーム６８と中間フレーム７０との相対的な移動を阻害する。
【００６５】
この据付具１１０では、直線Ｌ１を回転軸として、本体１１２によって、主フレーム６８の長手方向向きが微調整されうる。更に、直線Ｌ２を回転軸として、回動体１１４によって、主フレーム６８の長手方向向きが微調整されうる。これにより、フレーム６６の曲げが抑制される。これにより、主フレーム６８と中間フレーム７０との長手方向の相対的な移動が容易にされている。この据付具１１０を用いることで、パネル６の据付が一層容易にされている。
【産業上の利用可能性】
【００６６】
以上説明されたフレーム及び架台は、太陽光発電パネルを取り付けるフレーム及び架台として広く適用されうる。
【符号の説明】
【００６７】
４・・・架台
６・・・パネル
１８、６６・・・フレーム
２０、６８・・・主フレーム
２２、７０・・・中間フレーム
２４、７２・・・移動フレーム
２６、７４、９８・・・パネル取付具
２８、７６、１０６、１１０・・・据付具
３６、５２、８４、９２・・・溝
３８・・・開口
５４、６２、９４、１０２・・・ボルト
５６、６４、９６、１０４・・・ナット
５８・・・パネル押さえ具
６０、１００、１０８、１１２・・・本体
１１４・・・回動体
１１６・・・回動軸
【図１】
2017150186.tif 000003
【図２】
2017150186.tif 000004
【図３】
2017150186.tif 000005
【図４】
2017150186.tif 000006
【図５】
2017150186.tif 000007
【図６】
2017150186.tif 000008
【図７】
2017150186.tif 000009
【図８】
2017150186.tif 000010